(57)【要約】      （修正有）【課題】携帯に便利で、旅先でパンツ，スカートなどの厚物の洗濯物を生乾きの心配なく安心して干すことのできるトラベル用の物干しハンガーを提供する。【解決手段】中心の起倒フック下にて上下２枚の帯板を回動自在に重ね止め、上または下側の帯板の回動にて他方の帯板との間で十文字形に拡げて物干しハンガーを構成し、戻し回動にて携帯可能の一文字形に折畳みするようにし、且つ上下帯板の両端部に洗濯バサミを吊下げ取付けしたことを特徴とする。【選択図】図１
0003147019.tif 000002
【実用新案登録請求の範囲】
【請求項１】
中心の起倒フック下にて上下２枚の帯板を回動自在に重ね止め、上または下側の帯板の回動にて他方の帯板との間で十文字形に拡げて物干しハンガーを構成し、戻し回動にて携帯可能の一文字形に折畳みするようにし、且つ上下帯板の両端部に物干しバサミを吊下げ取付けしたことを特徴とするトラベル用の物干しハンガー。
【請求項２】
下側または上側の帯板に十文字形の回動点にて止めるストッパーを設ける請求項１に記載のトラベル用の物干しハンガー。
【請求項３】
下側の帯板の中間に物干しバサミを増設する請求項１または２に記載のトラベル用の物干しハンガー。
【請求項４】
カバークロスを物干しバサミ間に廻し掛けして干し物を隠す請求項１乃至３のいずれかに記載のトラベル用の物干しハンガー。
【請求項５】
上側の帯板の両端に連結部を設けて、２連，３連形に増連結する請求項１乃至４のいずれかに記載のトラベル用の物干しハンガー。
【請求項６】
上下の帯板を棒体にて形成する請求項１乃至５のいずれかに記載のトラベル用の物干しハンガー。
【考案の詳細な説明】
【技術分野】
【０００１】
この考案は旅行先などにて肌着，靴下、さらにパンツ，スカートなどを洗濯し速乾させることのできるトラベル用の物干しハンガーに関するものである。
【背景技術】
【０００２】
従前に発行されている特開２００５−３４５７９号公報は、上着，シャツの両肩を保持することのできる長さをもったハンガーの下にアームを回動自在に取付けたことを記載している。
【特許文献１】特開２００５−３４５７９号公報
【考案の開示】
【考案が解決しようとする課題】
【０００３】
しかしながら、ハンガーは通常５０ｃｍ以上と長いため、鞄に入らずして旅行時の携帯を不向きにしているという課題がある。
しかもハンガーは服類を整容するために中心を高くする緩い円弧形にて形成されるため、下のアームは極端に短くなって物干し量を少なくしているという課題がある。
【課題を解決するための手段】
【０００４】
本考案は、中心の起倒フック下にて上下２枚の帯板を回動自在に重ね止め、上または下側の帯板の回動にて他方の帯板との間で十文字形に拡げて物干しハンガーを構成し、戻し回動にて携帯可能の一文字形に折畳みするようにし、上下帯板の両端部に物干しバサミを吊下げ取付けして構成して、かかる課題を解決するようにしたのである。
【考案の効果】
【０００５】
本考案は旅行の際にコンパクトに折り畳んで鞄等の中に入れて携行することにより、宿泊先などにて肌着等を洗濯して干すことができるという効果を生ずる。吊るし間隔が保たれることで速乾させることができ、さらにパンツ，スカートなどの厚物・大物を輪状に拡げ干しすることができるので生乾きの心配なく旅先で洗濯することができるという効果を生ずる。
【０００６】
展開した十文字形を固定するストッパーを設けたので、干し物が寄って乾きにくくなったり、シワが生じないという効果を生ずる。
【０００７】
下側の帯板の中間に物干しバサミを増設することで、パンツ等の内側空間に靴下等の小物を間に干すことができるという効果を生ずる。
【０００８】
カバークロスを廻し掛けすることで、干し物を隠すことができ、ホコリの付着を防止することができるという効果を生ずる。
【０００９】
２連，３連形等に連結することで、大きな洗濯物をシワなく干すことができるほか、洗濯物の干し量を飛躍的に増加させることができるという効果を生ずる。
【考案を実施するための最良の形態】
【００１０】
本考案は中心の起倒フック下にて上下２枚の帯板を回動自在に重ね止め、上または下側の帯板の回動にて他方の帯板との間で十文字形に拡げて物干しハンガーを構成し、戻し回動にて携帯可能の一文字形に折畳みするようにし、上下帯板の両端部に物干しバサミを吊下げ取付けしてトラベル用の物干しハンガーを構成する。
【実施例１】
【００１１】
図１乃至図２は第１実施例を示すもので、小さな旅行鞄Ｂ内にも収まる３０〜４５ｃｍ程度の長さの扁平な帯板１ａ，１ｂを中心上の起倒フック２下にて回動自在に重ね止めしてトラベル用の物干しハンガー３を形成する。４は上下の帯板１ａ，１ｂの両端に吊下げ取付けする物干しバサミである。
【００１２】
トラベル用の物干しハンガー３は軽くて物干しに耐える木材，強化プラスチックなどの素材にて形成し、旅行の際には折り畳んで鞄Ｂ内に入れるなどして携行する。携行用の収納ケース，収納袋３ａをセットで用意することもある。宿泊先などにて十文字形に展開して肌着，靴下などを洗って各物干しバサミ４に挟み吊して干すのである。図３に示すように十文字形に展開することでパンツ，スカートなどの厚物を輪状に拡げて干すこともできるので、風通しをよくして速乾性を高めて生乾きの心配を解消することができる。
【００１３】
下側の帯板１ａに図４に示すストッパー５を設けることで、十文字形に拡げた状態で固定させることができるので、干している間に洗濯物が寄り重なったりして乾きが遅くなったり、シワが寄ったりすることを防止することができる。また、下側の帯板１ａは図５に示すように中間に物干しバサミ４ａを増設することで、輪状に拡げて干した洗濯物の内側に靴下などの小物を干すこともできる。
【００１４】
図６に示すカバークロス６を展開して上端の吊り輪６ａを物干しバサミ４に廻し掛けして巻き吊るすことで干し物を隠すことができ、ホコリなどの付着を防止することができる。６ｂはカバークロス６の端縁に設けた平面ファスナーである。
【実施例２】
【００１５】
図７は第２実施例であって、上側の帯板１ａの一端に短軸１ｃ，他端に止孔１ｄを設けて、物干しハンガー３を２連，３連形に連結するようにしたのである。この増連結によって、干し量を倍加することができることは勿論のほか、長い洗濯物をシワを作らずに干したり、連結端で隣接する２つの物干しバサミ４，４によって重い洗濯物を抜け落ちる心配なく干すことができることとなる。また複数の起倒フック２により吊り掛けることで、風の影響で物干しハンガー３が回転して洗濯物がよじれたり重なったりすることを防止することができる。その他の構成と作用は前例と同じである。
【産業上の利用可能性】
【００１６】
本考案は、旅行の際に携行することで、肌着，靴下のほか、パンツ，スカートなども速乾することのできるトラベル用の物干しハンガーとして広く利用されるものである。
【図面の簡単な説明】
【００１７】
【図１】（ａ）はトラベル用の物干しハンガーを十文字形に展開した状態を示す斜視図、（ｂ）は一文字形に折り畳んだ状態を示す斜視図
【図２】旅行鞄内に収納したした携帯状態を示す正面図
【図３】パンツの洗濯物を輪状に拡げて干した状態を示す部分斜視図
【図４】下側の帯板にストッパーを設けた例を示すもので、（ａ）は展開状態、（ｂ）は折畳み状態の斜視図
【図５】（ａ）（ｂ）は下側帯板に物干しバサミを増結した例を示す展開図と折畳み図
【図６】カバークロスを取付けた例を示す斜視図
【図７】物干しハンガーを３連結した例を示す斜視図と連結前の状態にて示す上側の帯板端部の拡大図
【符号の説明】
【００１８】
１ａは上側の帯板
１ｂは下側の帯板
１ｃは短軸
１ｄは止穴
２は起倒フック
２ａ嵌付け輪
３はトラベル用の物干しハンガー
３ａは収納ケース／収納袋
４は物干しバサミ
４ａは増設した物干しバサミ
５はストッパー
６はカバークロス
６ａは吊り輪
Ｂは旅行鞄
Ｌは洗濯物
【図１】
0003147019.tif 000003
【図２】
0003147019.tif 000004
【図３】
0003147019.tif 000005
【図４】
0003147019.tif 000006
【図５】
0003147019.tif 000007
【図６】
0003147019.tif 000008
【図７】
0003147019.tif 000009